(57)【特許請求の範囲】
【請求項１】
余長を持たせていない一直線上の被分岐光ファイバケーブルに分岐ケーブルを接続するための方法において、上記被分岐光ファイバケーブルで一定間隔をおいて所定長さの外皮を各々除去して第1外皮維持部両側に第1分岐接続部と第1補助接続部とを形成する第1ステップと、上記第1分岐接続部で上記被分岐光ファイバケーブル内の被分岐心線を切断して第1被分岐心線と第2被分岐心線とを形成する第2ステップと、上記第1分岐接続部で上記第1被分岐心線と上記分岐ケーブル内の第1分岐心線とを連結して連結部を形成する第3ステップと、上記連結部を上記第1補助接続部側に引き出し、前記連結部を解体する第4ステップと、上記第1補助接続部で上記第1被分岐心線を上記分岐ケーブルの第1分岐心線と接続させ、上記第1分岐接続部で上記第2被分岐心線を上記分岐ケーブル内の第2分岐心線と接続させる第5ステップと、を含む光ファイバケーブルの中間分岐接続方法。
【請求項２】
上記第2ステップで切断されなかった未分岐心線を上記第1分岐接続部及び上記第1補助接続部で各々保護用被覆材で被せる第6ステップをさらに含む請求項1記載の光ファイバケーブルの中間分岐接続方法。
【請求項３】
上記第2ステップで上記被分岐心線の切断の際、上記第1分岐接続部における上記第1被分岐心線の長さが上記第1分岐接続部における上記第2被分岐心線の長さと実質的に同一になるように切断することを特徴とする請求項1記載の光ファイバケーブルの中間分岐接続方法。
【請求項４】
上記第1外皮維持部と上記第1補助接続部との長さは、各々約25cm〜約30cmであり、上記第1分岐接続部の長さは、約50cm〜約60cmであることを特徴とする請求項1記載の光ファイバケーブルの中間分岐接続方法。
【請求項５】
上記第1分岐接続部及び上記第1補助接続部に各々トレーを備え、上記各々のトレー内に上記第1被分岐心線、上記第2被分岐心線、上記第1分岐心線、及び上記第2分岐心線を巻いて収納する第7ステップをさらに含む請求項1〜4のいずれかの項に記載の光ファイバケーブルの中間分岐接続方法。
【請求項６】
余長を持たせていない一直線上の被分岐光ファイバケーブルに分岐ケーブルを接続するための方法において、上記被分岐光ファイバケーブルで一定の間隔をおいて所定の長さの外皮を各々除去して第1外皮維持部両側に第1分岐接続部と第1補助接続部とを形成する第1ステップと、上記第1分岐接続部で上記被分岐光ファイバケーブル内の被分岐心線を切断して第1被分岐心線と第2被分岐心線とを形成する第2ステップと、上記被分岐ケーブルの上記第1外皮維持部から上記第1補助接続部側の方向に上記第1被分岐心線を引き出す第3ステップと、上記第1補助接続部側に所定の長さの中空体を設置する第4ステップと、上記分岐ケーブル内の分岐心線を上記中空体に貫通させて上記第1補助接続部側に位置させる第5ステップと、上記被分岐光ファイバケーブルの上記第1分岐接続部で上記第2被分岐心線と上記第5ステップで上記中空体に貫通されなかった分岐心線とを連結する第6ステップと、上記被分岐ケーブルの上記第1補助接続部で上記第1被分岐心線と、上記第5ステップで上記中空体に貫通された上記分岐心線とを連結する第7ステップとを含む光ファイバケーブルの中間分岐接続方法。
【請求項７】
上記第2ステップで切断されなかった未分岐心線の上記第1分岐接続部側及び上記第1補助接続部側と、上記第5ステップで上記中空体に貫通された上記分岐心線の上記第1分岐接続部側とを各々保護用被覆材で被せる第8ステップをさらに含む請求項6記載の光ファイバケーブルの中間分岐接続方法。
【請求項８】
上記第5ステップで上記中空体に貫通された分岐心線の上記第1分岐接続部側を保護用被覆材で被せる第8ステップをさらに含む請求項6記載の光ファイバケーブルの中間分岐接続方法。
【請求項９】
上記第2ステップにおいて上記被分岐心線切断の際、上記第1分岐接続部における上記第1被分岐心線の長さが上記第1分岐接続部における上記第2被分岐心線の長さと実質的に同一になるように切断することを特徴とする請求項6記載の光ファイバケーブルの中間分岐接続方法。
【請求項１０】
上記中空体がチューブである請求項6〜9のいずれかの項に記載の光ファイバケーブルの中間分岐接続方法。
【請求項１１】
上記第1分岐接続部及び上記第1補助接続部に各々トレーを備え、上記各々のトレー内に上記第1被分岐心線、上記第2被分岐心線、上記第1分岐心線、及び上記第2分岐心線を巻いて収納する第9ステップをさらに含む請求項10記載の光ファイバケーブルの中間分岐接続方法。
【請求項１２】
上記第1外皮維持部と上記第1補助接続部との長さは、各々約25cm〜約30cmであり、上記第1分岐接続部の長さは、約50cm〜約60cmであることを特徴とする請求項11記載の光ファイバケーブルの中間分岐接続方法。
【請求項１３】
余長を持たせていない被分岐光ファイバケーブルに分岐ケーブルを接続するための方法において、上記被分岐光ファイバケーブルで一定の間隔をおいて所定長さの外皮を各々除去して第1外皮維持部両側に第1分岐接続部と第1補助接続部とを形成する第1ステップと、上記第1分岐接続部で上記被分岐光ファイバケーブル内の被分岐心線を切断して第1被分岐心線と第2被分岐心線とを形成する第2ステップと、上記被分岐光ファイバケーブルの上記第1外皮維持部から上記第1補助接続部側の方向に上記第1被分岐心線を引き出す第3ステップと、上記分岐ケーブルの先端を上記被分岐光ファイバケーブルの上記第1補助接続部上に位置されるように整列させ、上記第1分岐接続部及び上記第1補助接続部に相応する位置の分岐ケーブル外皮を除去して第2外皮維持部の両側に第2分岐接続部及び第2補助接続部を形成する第4ステップと、上記分岐ケーブルの上記第2外皮維持部から上記第2分岐接続部側の方向に上記分岐ケーブル内の分岐心線を引き出す第5ステップと、上記被分岐光ファイバケーブルの上記第2被分岐心線と上記第4ステップで引出された上記分岐心線とを連結する第6ステップと、上記第1被分岐心線と上記分岐ケーブル内の第2補助接続部側の分岐心線とを連結する第7ステップとを含む光ファイバケーブルの中間分岐接続方法。
【請求項１４】
上記第2ステップで切断されなかった上記第1分岐接続部側の未分岐心線と、上記第5ステップで引出されなかった上記第2分岐接続部側の分岐心線とに各々保護用被覆材を被せる第8ステップをさらに含む請求項13記載の光ファイバケーブルの中間分岐接続方法。
【請求項１５】
上記第5ステップで引出されなかった上記第2分岐接続部側の上記分岐心線に保護用被覆材を被せる第8ステップをさらに含む請求項13記載の光ファイバケーブルの中間分岐接続方法。
【請求項１６】
上記第2ステップで被分岐心線切断の際、上記第1分岐接続部における上記第1被分岐心線の長さが上記第1分岐接続部における上記第2被分岐心線の長さと実質的に同一になるように切断することを特徴とする請求項13記載の光ファイバケーブルの中間分岐接続方法。
【請求項１７】
上記第1分岐接続部及び上記第1補助接続部に各々トレーを備え、上記各々のトレー内に上記第1被分岐心線、上記第2被分岐心線、上記第1分岐心線、及び上記第2分岐心線を巻いて収納する第9ステップをさらに含む請求項13〜16のいずれかの項に記載の光ファイバケーブルの中間分岐接続方法。
【請求項１８】
上記第1外皮維持部と上記第1補助接続部との長さは、各々約25cm〜約30cmであり、上記第1分岐接続部の長さは、約50cm〜約60cmであることを特徴とする請求項17記載の光ファイバケーブルの中間分岐接続方法。
【発明の詳細な説明】
【０００１】
【発明が属する技術分野】
本発明は、光線路線網の構成でループ配線型やスター配線型が適用された光ファイバケーブル区間の中間地点で小心のケーブルを分岐するための光ファイバケーブルの中間分岐接続方法に関し、特に分岐地点で被分岐心線のみを引き出すために中間分岐接続部と中間分岐補助接続部とを具現して、被分岐ケーブルの接続余長を別途に確保していない状態で中間分岐接続を行えるようにする光ファイバケーブルの中間分岐接続方法に関する。
【０００２】
【従来の技術】
一般に、光線路網は、サービスの多様化及びサービスの量的変化に対する適応性、設備の信頼性、経済性などを考慮してループ配線型、スター配線型などの形態により構成され、上記ループ配線型は、図１ａに示すように、ケーブル新設の時、分岐が予想される溝や電柱１、２、３、４、５、６上に分岐接続のためのケーブル余長を事前に確保し、運用中に心線需要が発生すれば、心線需要が発生された地点からループ配線網の分岐点まで分岐ケーブルを設置し、ループ配線網により構成された被分岐ケーブル内の被分岐光ファイバ心線（以下、”被分岐心線”という）のみを分岐ケーブルの分岐光ファイバ心線（以下、”分岐心線”という）と左、右方向に接続することによってループ形態の光線路網を構築する。
【０００３】
そして、スター配線型も、図１ｂに示すように、光ファイバケーブル新設の時、分岐予想地点を選定した後、分岐接続のための光ケーブルの接続余長を確保して溝や電柱１、２、３、４上に固定し、運用中に心線需要が発生すれば、心線需要が発生された地点からスター配線網の分岐点まで分岐ケーブルを設置し、スター網により構成された被分岐ケーブル内の被分岐心線のみを分岐心線と接続させることによってスター形態の光線路網を構築する。
【０００４】
上記のような光線路網の構築において、心線需要が発生された地点への分岐は、各線路網を構成するケーブルの接続地点で分岐して接続する接続点分岐接続、接続地点ではないケーブルの中間地点で分岐して接続する中間分岐接続がある。
【０００５】
一方、上記光ファイバ心線間の相互接続の時、光ファイバ接続部に張力が直接加わらなくて、接続の失敗、または故障、または運用上の必要による再接続の要求に応じ、接続部から接続装置までの距離を確保するために最小限の光ファイバ心線の長さを確保すべきであるため、上記中間分岐接続では、分岐接続のための接続余長を確保すべきである。
【０００６】
上記のように、接続余長を必要とする従来技術による光ファイバケーブルの中間分岐接続方法では、図２ａに示すように、中間分岐接続位置にある溝ａ内の管路１０から被分岐光ファイバケーブル２０を引っ張り出してケーブル支持台３０に支持させた後、ループ部を作って余長を確保する。この場合、上記溝ａには被分岐光ファイバケーブル２０の心線と連結される分岐光ファイバケーブル４０が位置される。そして、図２ｂに示すように、接続余長のケーブルをケーブル支持部３０ａに固定させ、上記ループ部の両側に外皮剥ぎ取り地点を表示した後、光ファイバ心線が引き出されるように上記外皮剥ぎ取り地点内にあるケーブルの外皮を除去することによって中間分岐接続部ｃを形成する。上記外皮が除去された部分には接続ボックスが装着される。
【０００７】
一方、中間分岐接続の需要が発生した溝内でケーブルの余長を確保することができなかったりケーブルの余長が確保されない場合には、図３のように分岐ケーブル４０を中間分岐接続溝ａ附近の接続点分岐溝ｂまで布設し、接続部５０を解体して上記分岐ケーブル４０を被分岐ケーブル２０と分岐させる接続点分岐接続を遂行する。この場合、接続点分岐のためには最大５００ｍ程度までの分岐光ファイバケーブルが追加されなければならない。
【０００８】
しかし、  上記のような従来の光ファイバケーブルの中間分岐接続方法では、光線路網の効率的な構築のための光ケーブル施設の経済性、運用性、作業性などの側面から次のような種々の問題点が発生した。
【０００９】
第１に、光ケーブルの新設の時、作業者が分岐予想地点を正確に選定出来なくてケーブルの余長が過多に確保されるか、中間分岐接続のために確保されたケーブルの余長が足りなくなってループまたはスター配線区間のケーブル接続点まで分岐ケーブルを布設すべきであるため、追加されるケーブルによって費用が過多に費やされる。
【００１０】
第２に、作業者が分岐予想地点を不正確に選定する場合、光線路区間に確保された余長を解いて中間分岐が発生された地点まで引っ張り出すか、分岐ケーブルを分岐接続余長が確保された所まで布設すべきであるため、布設にともなう費用が追加される。
【００１１】
第３に、中間分岐が発生された地点で、確保された接続余長は、未分岐心線が接続ボックス内に収容されることのできる長さに合わせるべきであるため、作業性が低い。
【００１２】
第４に、確保された接続余長の長さほど中間分岐接続部で未分岐心線を切断しなくて被分岐心線のみを切断することができるようにケーブルの外皮を横方向、及び縦方向に切断して除去すべきであるため、作業に相当な時間が必要となる。
【００１３】
第５に、硬質のＰＢＴＰ（Ｐｏｌｙｂｕｔａｄｉｅｎｅ  Ｔｅｒｅｐｈｔｈａｌａｔｅ：ポリブタジエン  テレフタレート）を利用して未分岐心線が収容された光ファイバ心線ユニットを接続ボックス内で許容屈曲半径以上に維持すべきであるため、上記光ファイバ心線ユニットを接続ボックス内で整頓することは困難であって、これによって運用中の光ファイバ心線が収容された未分岐ユニット内の光ファイバ心線に対する信頼度を低下させることになる。
【００１４】
第６に、溝内に確保された接続余長により溝内部が相当に複雑になり、電柱上に確保された接続余長は美観を損なうだけでなく、ケーブルの信頼度を低下させる。
【００１５】
【発明が解決しようとする課題】
したがって、本発明は、上記した問題点を解決するため、提案されたものであって、中間分岐接続の時、ループ部を有しない一直線状態のケーブル（ケーブルの余長を持たせていない状態を意味する）においても被分岐心線の接続余裕を提供する光ファイバケーブルの中間分岐接続方法を提供するにその目的がある。
【００１６】
【課題を解決するための手段】
上記した目的を達成するため、本発明は、余長を持たせていない一直線上の被分岐光ファイバケーブルに分岐ケーブルを接続するための方法において、上記被分岐ケーブルで一定間隔をおいて所定長さの外皮を各々除去して第１外皮維持部両側に第１分岐接続部と第１補助接続部を形成する第１ステップと、上記第１分岐接続部で被分岐心線を切断して第１被分岐心線と第２被分岐心線とを形成する第２ステップと、上記分岐接続部で第１被分岐心線と第１分岐心線とを連結して連結部を形成する第３ステップと、上記連結部を補助接続部側に引出す第４ステップと、上記補助接続部で第１被分岐心線を分岐ケーブルの第１分岐心線と接続させ、上記分岐接続部で第２被分岐心線を分岐ケーブルの第２分岐心線と接続させる第５ステップとを含む光ファイバケーブルの中間分岐接続方法を提供する。
【００１７】
また、本発明は、余長を持たせていない一直線上の被分岐光ファイバケーブルに分岐ケーブルを接続するための方法において、上記被分岐ケーブルで一定の間隔をおいて所定の長さの外皮を各々除去して第１外皮維持部両側に第１分岐接続部と第１補助接続部とを形成する第１ステップと、上記第１分岐接続部で被分岐心線を切断して第１被分岐心線と第２被分岐心線とを形成する第２ステップと、上記被分岐ケーブルの第１外皮維持部から上記第１補助接続部側の方向に第１被分岐心線を引き出す第３ステップと、上記補助接続部側に所定の長さの中空体を設置する第４ステップと、上記分岐ケーブルの分岐心線を上記中空体に貫通させて上記補助接続部側に位置させる第５ステップと、上記被分岐ケーブルの第１分岐接続部で第２被分岐心線と記第５ステップで上記中空体に貫通されなかった分岐心線を連結する第６ステップと、上記被分岐ケーブルの第１補助接続部で第１被分岐心線と、上記第５ステップで上記中空体に貫通された分岐光ファイバ心線を連結する第７ステップとを含む光ファイバケーブルの中間分岐接続方法をさらに提供する。
【００１８】
また、  本発明は、余長を持たせていない被分岐光ファイバケーブルに分岐ケーブルを接続するための方法において、上記被分岐ケーブルで一定の間隔をおいて所定長さの外皮を各々除去して第１外皮維持部両側に第１分岐接続部と第１補助接続部を形成する第１ステップと、上記第１分岐接続部で被分岐心線を切断して第１被分岐心線と第２被分岐心線とを形成する第２ステップと、上記被分岐ケーブルの第１外皮維持部から上記第１補助接続部側の方向に第１被分岐心線を引き出す第３ステップと、上記分岐ケーブルの先端を上記被分岐ケーブルの第１補助接続部上に位置されるように整列させ、上記第１分岐接続部及び上記第１補助接続部に相応する位置の分岐ケーブル外皮を除去して第２外皮維持部の両側に第２分岐接続部及び第２補助接続部を形成する第４ステップと、上記分岐ケーブルの第２外皮維持部から上記第２分岐接続部側の方向に分岐心線を引き出す第５ステップと、上記被分岐ケーブルの第２被分岐心線と上記第４ステップで引出された分岐心線とを連結する第６ステップと、上記第１被分岐心線と上記分岐ケーブルの第２補助接続部側の分岐光ファイバ心線とを連結する第７ステップとを含む光ファイバケーブルの中間分岐接続方法を提供する。
【００１９】
以下、添付された図面を参照し本発明に係る光ファイバケーブルの中間分岐接続方法について詳細に説明する。尚、本発明の構成要素の中、従来技術の構成要素と同一の部分に対しては同一の図面番号を付した。
【００２０】
まず、本発明では、図４及び図５に示すように、中間分岐接続点溝ａ内の管路１０に引き入れられた被分岐ケーブル２０をケーブル支持台３０のケーブル支持部３０ａに固定させた後、一直線上となった被分岐ケーブル２０の中間地点で分岐接続する長さほど第１分岐接続部ｅの外皮を除去し、上記第１分岐接続部ｅの片側には補助接続のための第１補助接続部ｆを備え、上記第１補助接続部ｆでは補助接続ボックスの長さほど外皮を長さほど除去する。このように、第１分岐接続部ｅと第１補助接続部ｆとで外皮を除去するステップは、以下で説明する全ての実施例で共通的に含まれるステップとなる。
【００２１】
ここで、第１分岐接続部ｅ及び第１補助接続部ｆの長さは、これらの接続部を収容する分岐接続ボックス及び補助接続ボックスの長さより長くないようにすることは当然であり、また第１分岐接続部ｅ及び第１補助接続部ｆ間の距離は、被分岐ケーブル２０が引き入れられている中間分岐接続点溝ａ内の空間に制約を受けることになる。第１補助接続部ｆの長さは、約２５ｃｍ〜約３０ｃｍ、第１分岐接続部ｅの長さは、約５０ｃｍ〜約６０ｃｍが好適であり、  また第１分岐接続部ｅ及び第１補助接続部ｆ間の距離は、約２５ｃｍ〜約３０ｃｍが最も好適である。
【００２２】
本発明の第１実施例では、分岐ケーブルの分岐心線を第１分岐接続部で第１補助接続部に送る方法を使用してループ配線法の中間分岐接続を可能とするべく、まず、図６ａに示すように、第１分岐接続部ｅと上記第１分岐接続部ｅの片側区間に形成された第１補助接続部ｆでそれぞれの接続ボックスに該当する長さほどの外皮を剥ぎ取る。ここで、第１補助接続部ｆの長さは、約２５ｃｍ〜約３０ｃｍ、第１分岐接続部ｅの長さは、約５０ｃｍ〜約６０ｃｍが好適であり、また第１分岐接続部ｅ及び第１補助接続部ｆ間の距離は、約２５ｃｍ〜約３０ｃｍが最も好適であることは上述したとおりである。そして、第１分岐接続部ｅの被分岐光ファイバ心線ユニット（以下、”被分岐ユニット”という）２０ａの心線の中から所定部分を切断する。この場合、上記切断された部分は、被分岐心線６０であり、その残りの部分は、未分岐心線７０となる。
【００２３】
これによって、図６ｂのように、上記被分岐心線６０は、補助接続部側の第１被分岐心線６０ａと、上記第１補助接続部の反対側に位置された第２被分岐心線６０ｂとに分けられる。ここで、作業者は、第１分岐接続部側に位置されている分岐ケーブル４０から第１分岐心線及び第２分岐心線４０ａ、４０ｂによりなる分岐心線を引き出した後、上記第１被分岐心線６０ａと第１分岐心線４０ａとを連結して臨時連結部ｇを形成する。
【００２４】
次いで、第１補助接続部側から第１被分岐心線６０ａを引っ張り出すと、第１被分岐心線６０ａと第１分岐心線４０ａ及び臨時連結部ｇは、第１分岐接続部側から補助接続部側に引き出され、第１分岐心線４０ａが補助接続部側に引き出された状態で上記臨時連結部ｇは解体される（図６ｃ及び図７ａ参照）。
【００２５】
次いで、作業者は第１分岐接続部及び第１補助接続部で被分岐ユニット２０ａの未分岐心線７０をユニットらせん（スパイラルチューブ）８０で被せて保護し（図７ｂ参照）、第１分岐接続部と第１補助接続部に該当光ファイバ心線保護支持板、すなわちトレー１１、１２を各々取り付けた後、第１分岐接続部のレー１１内で第２被分岐心線６０ｂ、第２分岐心線４０ｂ及び余分の第１分岐心線４０ａを体積が小さくなるように巻いて整理し、第１補助接続部のトレー１２内では第１被分岐心線６０ａ及び第１分岐心線４０ａを巻いて整理する（図７ｃ参照）。
【００２６】
この場合、第１分岐接続部及び第１補助接続部では、図８ａに示すように、それぞれの接続ボックス１３、１４に被分岐ケーブル２０及び分岐ケーブル４０を結合することによって、接続余長を追加に確保しなくても容易に中間分岐接続を実施することができる。
【００２７】
さらに、図８ｂのように、光ファイバ心線ユニット単位で分岐する場合には、外皮切断地点間の被分岐ユニット２０ａ間に未分岐心線が残っていないため、ユニットらせん８０による未分岐心線の保護作業なしに第１分岐接続部で切断された第１被分岐心線６０ａと第１分岐心線４０ａを臨時に連結して臨時連結部を形成した後、第１補助接続部側で第１被分岐心線６０ａを引っ張り出すことによって、第１分岐接続部の第１分岐心線４０ａは、被分岐ユニット２０ａを介して第１補助接続部に引き出すことができる。上記のような光ファイバ心線ユニット単位分岐での第１分岐接続部及び第１補助接続部のトレー１１、１２内には、図８ｃのように、第１及び第２被分岐心線６０ａ、６０ｂと第１及び第２分岐心線４０ａ、４０ｂが整理される。
【００２８】
上記した方法で中間分岐を行った後、中間分岐接続点を溝や電柱中に設けることになるが、これは図９に示すように、第１分岐接続部と第１補助接続部との間に被分岐ケーブル２０のユニット２０ａを活用した分岐心線連結方法による中間分岐接続を遂行した結果として中間分岐接続ボックス１３と補助接続ボックス１４が被分岐ケーブル２０と一直線上にあることになり、分岐ケーブル４０は、中間分岐接続ボックス１３内に収容される。
【００２９】
一方、本発明の第２実施例では、第１分岐接続部で被分岐ユニットを活用して分岐心線を第１補助接続部に送ることが困難である場合、図１０ａ〜図１２ｂに示すように、別途のチューブケーブルを利用して第１分岐接続部と第１補助接続部とを連結することによって、分岐心線を容易に第１補助接続部に設置することができるようにした。
【００３０】
本実施例では、まず、図１０ａに示すように、第１分岐接続部ｅと第１補助接続部ｆとでそれぞれの接続ボックスに該当する長さほどの外皮を除去し、第１分岐接続部ｅの被分岐ユニット２０ａから所定部分を切断する。ここで、第１補助接続部ｆの長さは、約２５ｃｍ〜約３０ｃｍ、第１分岐接続部ｅの長さは、約５０ｃｍ〜約６０ｃｍが好適であり、また第１分岐接続部ｅ及び第１補助接続部ｆ間の距離は、約２５ｃｍ〜約３０ｃｍが最も好適であることは上述のとおりである。また、上記切断された部分は、被分岐心線６０であり、切断されなくて残っている部分は、未分岐心線７０である。そして、上記被分岐心線６０は、第１補助接続部ｆ側の第１被分岐心線６０ａと、第１分岐接続部ｅ側の第２被分岐心線（６０ｂ）とに分けられる。
【００３１】
次いで、第１分岐接続部ｅの片側に位置された分岐ケーブル４０から第１及び第２分岐心線４０ａ、４０ｂからなる分岐心線を引き出した後、第１分岐接続部ｅと第１補助接続部ｆとの間に所定長さのチューブケーブル１５を設ける（図１０ｂ参照）。
【００３２】
次いで、作業者は、図１１ａに示すように、第１補助接続部ｆ側に第１被分岐心線６０ａを引っ張り出して上記第１被分岐心線６０ａが第１補助接続部ｆ側に位置されるようにした後、上記分岐ケーブル４０の第１分岐心線４０ａをユニットらせん８０で保護してチューブケーブル１５内に引き入れることによってその端部が第１補助接続部側に位置されるようにする。そして、上記被分岐ユニット２０ａ内の未分岐心線は、ユニットらせん８０で被せて保護し、上記第２分岐心線４０ｂの所定部位は、保護チューブ１０で被せて保護する。
【００３３】
次いで、上記第１分岐接続部と第１補助接続部とにトレー１１、１２を各々取り付け、第１分岐接続部のトレー１１内には、第２被分岐心線６０ｂ及び第２分岐心線４０ｂを巻いて整理し、第１補助接続部のトレー１２内には、第１被分岐心線６０ａ及びチューブケーブル１５から引き入れられた第１分岐心線４０ａを巻いて整理する（図１１ｂ参照）。これによって、第１分岐接続部及び第１補助接続部でそれぞれの接続ボックス１３、１４を利用して被分岐ケーブル２０、分岐ケーブル４０、チューブケーブル１５を結合することによって、被分岐ケーブル２０の接続余長を追加に確保しなくても容易に中間分岐接続を可能とする（図１１ｃ参照）。
【００３４】
さらに、本実施例で光ファイバ心線ユニット単位に分岐する場合には、図１２ａに示すように、外皮剥ぎ取り地点間の被分岐ユニット２０ａの間に未分岐心線が残っていないので、ユニットらせんによる未分岐心線の保護作業なしに第１被分岐心線６０ａ全部を引っ張り出して補助接続部側に引き出し、第１分岐接続部側の分岐ケーブル４０では、第１分岐心線４０ａ全部をユニットらせん８０で被せて保護した状態でチューブケーブル１５内に引き入れて補助接続部側に送ることになる。この場合、第１及び第２被分岐心線６０ａ、６０ｂ及び分岐心線４０ａ、４０ｂは、図１２ｂのように、光ファイバ心線ユニット単位分岐での第１分岐接続部及び第１補助接続部のトレー１１、１２内に整理される。
【００３５】
上記のように第１分岐接続部と第１補助接続部との間にチューブケーブルを活用した分岐心線連結方法による中間分岐接続を遂行した場合には、図１３に示すように、中間分岐接続ボックス１３と補助接続ボックス１４とが被分岐ケーブル２０と一直線上にあることになり、分岐ケーブル４０は、中間分岐接続ボックス１３内に収容されることになり、中間分岐接続ボックス１３と補助接続ボックス１４との間には被分岐ケーブル２０及びチューブケーブル１５により連結される。
【００３６】
図１４ａ〜図１６ｂは、本発明に係る光ファイバケーブルの中間分岐接続方法の第３実施例を説明するための図面として、図面に示すように、上記第２  実施例のチューブケーブル１５を利用する中間分岐接続方法とは異なり、別途のチューブケーブル１５を用意しなくて、分岐ケーブル４０の片側の外皮を除去して被分岐ケーブル２０の第１分岐接続部ｅ及び第１補助接続部ｆを連結することによって、分岐心線を容易に補助接続部ｆに設置することができるようにした。
【００３７】
以下では、説明の便宜のため、分岐ケーブル４０に形成される分岐接続部及び補助接続部を各々第２分岐接続部及び第２補助接続部として定義し、被分岐ケーブル２０に形成される分岐接続部及び補助接続部を先に定義したように、各々第１分岐接続部及び第１補助接続部として定義する。
【００３８】
本実施例では、まず図１４ａに示すように、被分岐ケーブル２０の第１分岐接続部ｅと第１補助接続部ｆでそれぞれの接続ボックスに該当する長さほどの外皮を除去し、第１分岐接続部ｅの被分岐ユニット２０ａから所定部分を切断する。ここで、第１補助接続部ｆの長さは、約２５ｃｍ〜約３０ｃｍ、第１分岐接続部ｅの長さは、約５０ｃｍ〜約６０ｃｍが好適であり、また第１分岐接続部ｅ及び第１補助接続部ｆとの間の距離は、約２５ｃｍ〜約３０ｃｍが最も好適であることは上記した通りである。また上記切断された部分は、被分岐心線６０であり、切断されなくて残っている部分は、未分岐心線７０である。そして、上記被分岐心線６０は、第１補助接続部ｆ側の第１被分岐心線６０ａと、第１分岐接続部ｅ側の第２被分岐心線６０ｂとで分かれる。
【００３９】
一方、分岐ケーブル４０は、その先端を上記被分岐ケーブルの第１補助接続部ｆ上に位置されるように整列させ、上記第１分岐接続部ｅ及び上記第１補助接続部ｆに相応する位置の分岐ケーブル４０外皮を除去して第２分岐接続部ｅ’及び第２補助接続部ｆ’を形成する。したがって、第２補助接続部ｆ’側には分岐ケーブルの第１被分岐心線６０ａと接続できる分岐心線の先端が位置する。
【００４０】
そして、図１４ｂに示すように、分岐ケーブル４０の第２分岐接続部ｆ’側に位置した分岐心線の一部を第２分岐接続部ｅ’側に引き出す。ここで、上記引き出された部分は、第２分岐心線４０ｂであり、引き出されなくて残っている部分は、第１分岐心線４０ａである。したがって、分岐ケーブル４０の第１分岐心線４０ａは、その先端が第２補助接続部ｆ’側に位置するように形成され、分岐ケーブル４０の第２分岐心線４０ｂは、その先端が第２分岐接続部ｅ’側に形成される。一方、第１補助接続部ｆ側から第１被分岐心線６０ａを引っ張り出して、第１分岐接続部ｅから第１補助接続部ｆ側に引き出す。
【００４１】
次いで、図１５ａ及び図１５ｂに示すように、作業者は、上記分岐ケーブル４０の第２分岐接続部ｅ’で露出されている第１分岐心線４０ａ及び被分岐ユニット２０ａ内の未分岐心線７０をユニットらせん８０で被せて保護し、上記第２分岐心線４０ｂの所定部位は、保護チューブ１０で被せて保護する。
【００４２】
次いで、上記第１分岐接続部ｅと第１補助接続部ｆとにトレー１１、１２を各々取り付けるが、第１分岐接続部ｅのトレー１１内には第２被分岐心線６０ｂ及び第２分岐心線４０ｂを巻いて整理し、第１補助接続部ｆのトレー１２内には、第１被分岐心線６０ａ及び端部が第１補助接続部ｆに位置する第１分岐心線４０ａを巻いて整理する（図１５ｂ参照）。これによって、第１分岐接続部ｅ及び第１補助接続部ｆでそれぞれの接続ボックス１３、１４を利用して被分岐ケーブル２０、分岐ケーブル４０を結合することによって、被分岐ケーブル２０の接続余長を追加に確保しなくても容易に中間分岐接続を実施できることになる（図１５ｃ参照）。
【００４３】
さらに、本実施例で、光ファイバ心線ユニット単位に分岐する場合には、図１６ａに示すように、外皮剥ぎ取り地点間の被分岐ユニット２０ａ間に未分岐心線が残っていないため、ユニットらせんによる未分岐心線の保護作業なしに第１被分岐心線６０ａ全部を引っ張り出して第１補助接続部ｆ側に引き出す。
【００４４】
一方、分岐ケーブル４０は、その先端を上記被分岐ケーブルの第１補助接続部ｆ上に位置されるように整列させ、上記第１分岐接続部ｅ及び上記第１補助接続部ｆに相応する位置の分岐ケーブル４０外皮を除去して第２分岐接続部ｅ’及び第２補助接続部ｆ’を形成する。したがって、第２補助接続部ｆ’側には、分岐ケーブルの第１被分岐心線６０ａと接続できる分岐心線の先端が位置する。
【００４５】
そして、分岐ケーブル４０の第２分岐接続部ｆ’側に位置する分岐心線の一部を第２分岐接続部ｅ’側に引き出す。ここで、上記引き出された部分は、第２分岐心線４０ｂであり、引き出されなくて残っている部分は、第１分岐心線４０ａである。したがって、分岐ケーブル４０の第１分岐心線４０ａは、その先端が第２補助接続部ｆ’側に位置するように形成され、分岐ケーブル４０の第２分岐心線４０ｂは、その先端が第２分岐接続部ｅ’側に形成される。
【００４６】
ここで、第１分岐心線４０ａは、ユニットらせん８０で被せて保護する。この場合、被分岐心線６０ａ、６０ｂ及び分岐心線４０ａ、４０ｂは、図１６ｂのように、光ファイバ心線ユニット単位分岐での第１分岐接続部ｅ及び第１補助接続部ｆのトレー１１、１２内に整理される。
【００４７】
上記のように、分岐ケーブル４０の片側の外皮を除去して第１分岐接続部ｅと第１補助接続部ｆとを連結することによって、中間分岐接続を遂行する場合には、図１７に示すように、中間分岐接続ボックス１３と補助接続ボックス１４とが被分岐ケーブル２０と一直線上にあることになり、分岐ケーブル４０は、中間分岐接続ボックス１３内に収容され、中間分岐接続ボックス１３と補助接続ボックス１４との間には被分岐ケーブル２０及び分岐ケーブル４０で連結される。
【００４８】
上記のような本発明の中間分岐接続方法を光線路網のループ配線やスター配線で光ケーブルの分岐接続に使用する場合には、従来の方法のように被分岐ケーブルの接続余長を確保しなくて、分岐ケーブルの光ファイバ心線をループ配線の形態で容易に接続することができ、接続後の溝内で中間分岐接続点と被分岐及び分岐ケーブルの整理状態が簡単になる。また、今後本発明の中間分岐接続点で追加分岐が発生しても第１分岐接続部と第１補助接続部に設置されたそれぞれの接続ボックスカバーを開いて被分岐心線のみを引き出して分岐ケーブルの分岐心線と接続させることによって分岐作業が效率的にできる。
【００４９】
以上で説明した本発明は、前述した実施例及び図面により限定されるものではなく、本発明の技術的思想を抜け出さない範囲内で種々の置換、変形及び変更が可能であることは、当業者において明白である。
【００５０】
【発明の効果】
上記したように、本発明は、光ケーブル新設や運用に際して、分岐予想地点を考慮しないため、ケーブル配線計画が容易にでき、余長確保にともなうケーブル増設費用を節減でき、許容曲率半径以上に維持しなければならないケーブル整理作業にともなうケーブルの信頼度を高めることのできる効果がある。
【００５１】
そして、本発明は、溝でや電柱上に設置された被分岐ケーブルがケーブル進行方向と一直線上で整理されるため、ケーブル管理が易しいだけでなく電柱上で美観を損なわなくてケーブルを設置することができることに他の効果がある。
【００５２】
また、本発明は、光線路網の構築において、光ケーブル施設費用を低減し、分岐発生収容を容易に吸収でき、施設管理的な側面からの作業性を高めることができる効果がある。
【図面の簡単な説明】
【図１】図１ａ及び図１ｂは、一般的な光線路網の配線法を示す構成図である。
【図２】図２ａ及び図２ｂは、従来技術に係る光ファイバケーブルの中間分岐接続方法を示す一実施例図である。
【図３】図２ａの中間分岐接続溝から接続点分岐のための分岐光ファイバケーブルの布設状態図である。
【図４】本発明に係る光ファイバケーブルの中間分岐接続方法で一直線上に位置された中間分岐接続位置を示す構成図である。
【図５】本発明に係る光ファイバケーブルの中間分岐接続方法で、被分岐光ファイバ心線の引き出しのための光ファイバケーブル外皮除去位置表示図である。
【図６】図６ａ〜図６ｃは、本発明に係る光ファイバケーブルの中間分岐接続方法の第１実施例図である。
【図７】  図７ａ〜図７ｃは、本発明に係る光ファイバケーブルの中間分岐接続方法の第１実施例図である。
【図８】  図８ａ〜図８ｃは、本発明に係る光ファイバケーブルの中間分岐接続方法の第１実施例図である。
【図９】  本発明の第１実施例による中間分岐接続完了後の被分岐及び分岐光ケーブルに対する整理状態図である。
【図１０】  図１０ａ〜図１０ｂは、本発明に係る光ファイバケーブルの中間分岐接続方法の第２実施例図である。
【図１１】  図１１ａ〜図１１ｃは、本発明に係る光ファイバケーブルの中間分岐接続方法の第２実施例図である。
【図１２】図１２ａ〜図１２ｂは、本発明に係る光ファイバケーブルの中間分岐接続方法の第２実施例図である。
【図１３】本発明の第２実施例による中間分岐接続完了後の被分岐及び分岐光ケーブルに対する整理状態図である。
【図１４】図１４ａ〜図１４ｂは、本発明に係る光ファイバケーブルの中間分岐接続方法の第３実施例図である。
【図１５】図１５ａ〜図１５ｃは、本発明に係る光ファイバケーブルの中間分岐接続方法の第３実施例図である。
【図１６】図１６ａ〜図１６ｂは、本発明に係る光ファイバケーブルの中間分岐接続方法の第３実施例図である。
【図１７】本発明の第３実施例による中間分岐接続完了後の被分岐及び分岐光ケーブルに対する整理状態図である。
【符号の説明】
１０          管路
２０          被分岐光ファイバケーブル
３０          ケーブル支持台
４０          分岐ケーブル
５０          接続部
６０          被分岐心線
７０          未分岐心線
８０          ユニットらせん
ａ                        溝
ｅ                        第１分岐接続部
ｆ                          第１補助接続部
【図１】
0003548907.tif 000002
【図２】
0003548907.tif 000003
【図３】
0003548907.tif 000004
【図４】
0003548907.tif 000005
【図５】
0003548907.tif 000006
【図６】
0003548907.tif 000007
【図７】
0003548907.tif 000008
【図８】
0003548907.tif 000009
【図９】
0003548907.tif 000010
【図１０】
0003548907.tif 000011
【図１１】
0003548907.tif 000012
【図１２】
0003548907.tif 000013
【図１３】
0003548907.tif 000014
【図１４】
0003548907.tif 000015
【図１５】
0003548907.tif 000016
【図１６】
0003548907.tif 000017
【図１７】
0003548907.tif 000018